(57)【要約】【課題】使用時には空中に面状に光る領域を発生して、部屋内を音や光を遮断せず仕切りの両側からお互いの存在を容易に確認できる程度にセミセパレーションすることができ、不使用時に部屋のインテリア性を損ねることがない照明システムを提供する。【解決手段】照明システム１は、部屋７の天井１２に粒子群発生装置３と照明器具５とを備える。粒子群発生装置３は、例えば炭酸ガスからなる粒子群２を面状になるように吐出する。照明器具５が粒子群発生装置３から吐出された粒子群２を粒子径以下の波長の光４により照射し、粒子による光の散乱が生じて空中に面状に光る領域６が形成され、部屋７内をセミセパレーションすることができる。不使用時には、面状に光る領域６が消失するので、部屋７のインテリア性を損ねることがなく、掃除時の邪魔にもならない。【選択図】図１
2010103001.tif 000002
【特許請求の範囲】
【請求項１】
粒子群を発生する粒子群発生装置と、この粒子群発生装置により発生された粒子群に対して光を照射する照明器具と、を備える照明システムであって、
前記粒子群発生装置は、粒子群を面状になるように吐出し、
前記照明器具は、前記粒子群発生装置が発生する粒子の粒子径以下の波長の光を照射することを特徴とする照明システム。
【請求項２】
前記粒子群発生装置は、粒子群が面状になるように粒子群の進行方向を規制する規制板を備えることを特徴とする請求項１に記載の照明システム。
【請求項３】
前記粒子群発生装置は、粒子群が自重により落下する方向と同方向に粒子群を吐出することを特徴とする請求項１又は請求項２に記載の照明システム。
【発明の詳細な説明】
【技術分野】
【０００１】
本発明は、光の散乱現象を利用して空中に面状に光る領域を形成し、部屋内の空間を、光の幕で仕切ることができる照明システムに関する。
【背景技術】
【０００２】
近年、住宅の使用方法が多様化してきており、広いリビングダイニングに居る複数人が各々別の活動をすることがある。例えば、子どもがダイニングで食事をする一方、大人はリビングの一画で寛ぐといった場合がある。このような場合にリビングに居る大人は、開放空間に居る感覚を持ちつつ、プライベートスペースに居る感覚も得ることができ、しかも子どもの存在を感じたいというニーズがある。このニーズに応えるためのツールとしてシルエットが見える程度に光を透過する薄手のカーテンやパーティション等がある。上記のように、音や光を遮断せず仕切りの両側からお互いの存在を容易に確認できるように部屋内を仕切ることを以下セミセパレーションという。
【０００３】
例えば、光を透過するパーティションとして２枚のガラス板が所定の間隔を持って衝立状に立設されて成るものが知られている（例えば、特許文献１参照）。このパーティションでは、ガラス板の表面に適宜半透明フィルムを貼ることにより、区切られた内部のプライバシーを守ることができるようになっている。
【特許文献１】特開２００６−２３９８号公報
【発明の開示】
【発明が解決しようとする課題】
【０００４】
ところが、上記カーテンやパーティションでは、それらの設置位置や大きさが半固定であるために、それらを使用せず部屋を広く利用しようとするときに、種々の不具合が発生する。例えば、布製のカーテンであれば、不使用時に纏めて壁際へ移動させることができるが、纏められたカーテンは相当の嵩を有するので壁面から盛り上がって見え部屋のインテリア性を損ねる。また、パーティションであれば、不使用時に人が部屋の外へ運び出さなければならない。
【０００５】
さらに、上記カーテンやパーティション等の半固定の仕切り手段では、部屋の清掃時に邪魔になるとか、仕切りの高さ位置を変更することができないといった不便があった。
【０００６】
そこで、本発明は、上記課題を解決するものであり、使用時には空中に面状に光る領域が発生して部屋内をセミセパレーションでき、不使用時に部屋のインテリア性を損ねることがなく、掃除時の邪魔にもならない照明システムを提供することを目的とする。
【課題を解決するための手段】
【０００７】
上記目的を達成するために、請求項１の発明は、粒子群を発生する粒子群発生装置と、この粒子群発生装置により発生された粒子群に対して光を照射する照明器具と、を備える照明システムであって、前記粒子群発生装置は、粒子群を面状になるように吐出し、前記照明器具は、前記粒子群発生装置が発生する粒子の粒子径以下の波長の光を照射することを特徴とする。
【０００８】
請求項２の発明は、請求項１に記載の照明システムにおいて、前記粒子群発生装置は、粒子群が面状になるように粒子群の進行方向を規制する規制板を備えることを特徴とする。
【０００９】
請求項３の発明は、請求項１又は請求項２に記載の照明システムにおいて、前記粒子群発生装置は、粒子群が自重により落下する方向と同方向に粒子群を吐出することを特徴とする。
【発明の効果】
【００１０】
請求項１の発明によれば、粒子群発生装置から吐出された粒子群が粒子径以下の波長の光により照射されるので、粒子による光の散乱が生じて空中に面状に光る領域が形成され、部屋内をセミセパレーションすることができる。不使用時には、面状に光る領域が消失するので、部屋のインテリア性を損ねることがなく、掃除時の邪魔にもならない。
【００１１】
請求項２の発明によれば、粒子群の進行方向が規制板により規制されて整えられるので、光る領域の形状が正しく面状に形成される。
【００１２】
請求項３の発明によれば、粒子群が自重により落下する方向へ向けて吐出されるので、下方における粒子群の散逸を抑えることができ、光る領域の面状形状が崩れることを防止することができる。
【発明を実施するための最良の形態】
【００１３】
（第１の実施形態）
以下、本発明の第１の実施形態に係る照明システムについて、図１及び図２を参照して説明する。本実施形態の照明システム１は、図１に示されるように、粒子群２を発生する粒子群発生装置３と、この粒子群発生装置３により発生された多数の例えばガス物質等の粒子を含む粒子群２に対して光４を照射する照明器具５と、を備える。粒子群発生装置３は、粒子群２を面状になるように吐出し、照明器具５は、粒子群発生装置３が発生する粒子の粒子径以下の波長の光４を照射する。光４の波長が粒子径以下であるので、ミー散乱現象が生じて、光４が照射された領域６の粒子群２が光り、光の幕のようになり、部屋７内をセミセパレーションすることができる。
【００１４】
本照明システム１が設置された部屋７は、板張りの床８の一隅に３畳の畳床９が設けられ、板張り床８には、ソファ１１等の家具が配置されている。粒子群発生装置３は、畳床９の部分を和室空間として仕切ることができるように、畳床９の直上方位置の天井１２に埋込まれて、粒子群発生装置３の本体１３がＬ字型に取付けられている。照明器具５は、光の照射方向が上下にチルトできる構造のスポットライトであり、天井１２から吊り下げられて取付けられている。
【００１５】
粒子群発生装置３は、図２に示されるように、本体１３と、この本体１３にホース１４を介してガス物質を供給するガス物質供給装置１５と、を備える。本体１３は、ダクト状の細長い筐体１６を有し、下面１６ａにガス物質を吐出する８個の噴霧口１７を備える。なお、図２において、Ｌ字型に配置された本体１３のうち一方の本体１３を代表して示す。本実施形態ではガス物質は炭酸ガスであり、噴霧口１７から吐出された炭酸ガス分子が粒子群２になる。
【００１６】
筐体１６の両側面１６ｂには噴霧口１７から吐出された粒子群２の進行方向を規制する規制板１８が固定されている。規制板１８は、例えばアクリル製の薄い透明板で構成される。規制板１８は、筐体１６の長さと同等であって、側面１６ｂから直下方向に延びる平板形状であるが、他の形状であってもよい。例えば、両側の規制板１８の間隔ｔが下方にいくほど小さくなる先すぼまり形状であってもよいし、規制板１８自体が湾曲していてもよい。また、規制板１８の筐体１６に対する固定箇所をヒンジ状に構成して規制板１８を可動とし、モータを有する駆動機構（不図示）により周期的に揺動するようにしてもよい。この場合には、粒子群２の進行方向が周期的に揺動され、面状に光る領域６自体が揺動する。
【００１７】
ガス物質供給装置１５は、ガス物質を貯留しておくタンク１９と、ガス物質を粒子群発生装置３の本体１３に送り出す駆動ポンプ２１と、駆動ポンプ２１の動作を発停するための操作部２２と、を備える。タンク１９と駆動ポンプ２１は天井裏又は天井１２の内部に設置され、操作部２２は部屋７の壁面に設けられる。
【００１８】
ガス物質は低沸点の物質であり、人体や動物の健康、及び植物の育成にも影響を及ぼすことがなく、無色、無臭の材料であることが好ましい。また、炭酸ガス等のガス物質は噴霧口１７から吐出されたときの粒子径が０．０５〜５μｍである。
【００１９】
照明器具５は、スポットライト本体２３と、ユーザがスポットライト本体２３の調光とチルト角度αを調整するための操作部２４と、を備える。スポットライト本体２３にはチルト角度を変更するための公知の駆動機構が内蔵され、操作部２４からの角度調整信号に応じてスポットライト本体２３のチルト角度αを変更する。操作部２４は部屋７の壁面に設けられ、好ましくは粒子群発生装置３の操作部２２と近接した位置に設けられる。両操作部２２、２４は、壁面に固定された同一の筐体内に設けられてもよい。
【００２０】
スポットライト本体２３の光源２３ａは、出射する光４の波長が粒子群２の粒子の径以下になるものであればよく、白熱球、ＬＥＤ、蛍光灯等の種々のものを用いることができる。また、光源２３ａから出射する光の波長が粒子径以下ではないものであっても、スポットライト本体２３の前面にフィルタを設置して光源２３ａから出射した光の波長を粒子径以下に変換するようにしてもよい。この場合のフィルタは、プラスチック、ガラス等の光透過性の基材上に光学多層膜が形成されたものであってもよい。
【００２１】
具体的には、ガス物質の粒子径が０．０５μｍの場合には、例えば、波長が０．０３６μｍの青色光を照射する照明器具５を用いることができ、粒子径が５μｍの場合には、可視光を照射する照明器具５であればどのようなものでも用いることができる。
【００２２】
本実施形態の照明システム１は、以上の通りの構成であり、例えば、畳床９上に居るユーザＰａが畳床９上の和室空間をセミセパレーションすることを望む場合には、操作部２４を操作して照明器具５を適当な明るさで点灯した上、操作部２２を操作して駆動ポンプ２１を動作させ粒子群発生装置３から粒子群２を吐出させる。このようにすると、照明器具５からの照射光４が粒子群２により散乱されて、光が照射された領域６が光の幕のように面状に光る。光る領域６が形成されることによって、畳床９上の空間がソファ１１上に居るユーザＰｂ等から半ば遮断された和室空間になり、畳床９上に居るユーザＰａは、開放空間に居る感覚を持ちながらもプライベートスペースにいる感覚を持つことができる。
【００２３】
また、ユーザＰａは、操作部２４を操作することによって照明器具５のチルト角度αを変更できるので、光る領域６を任意に上下方向に移動させることにより開放感を変化させることができる。例えば、ユーザＰａは、チルト角度αを上方へ向けることにより、光る領域６を上方へ移動させることができ、より開放感を得ることができる。逆に、光る領域６を下方へ移動させることにより、ユーザＰａの視線高さよりも下方を光る領域６で囲むことによって、隔離された空間に居る感覚をより高めることができる。
【００２４】
なお、吐出された粒子群２は、規制板１８により規制されて進行方向を整えられるので、規制板１８間の間隔ｔと同等の厚みを有する面状になって下方へ落下し、光る領域６の形状が崩れることを防止することができる。また、炭酸ガスは比重が空気より重く、粒子群２が自重により落下する方向と吐出する方向が一致するので、下方位置における粒子群２の散逸を抑えることができ、この点でも光る領域６の形状が崩れることを防止することができる。
【００２５】
（第２の実施形態）
次に、本発明の第２の実施形態に係る照明システム１について図３を参照して説明する。本実施形態の照明システム１は、第１の実施形態とほぼ同一の構成を有し、異なるところは、照明器具２５が天井１２に埋込まれた細長い筐体２６を有するものである点と、この照明器具２５の筐体２６に粒子群を発生させる粒子群発生装置３の本体１３の機能が組込まれている点である。
【００２６】
具体的には、照明器具２５の筐体２６の下面２６ａにＬＥＤから成る多数の光源２７が筐体２６の長手方向に沿って設けられると共に、光源２７に近接してガス物質の噴霧口２８が多数設けられている。本実施形態の場合も、照明器具２５が照射する光４の波長が、噴霧口２８から吐出される粒子群２の粒子の径よりも小さくなるように設定されており、照明器具２５からの照射光４が粒子群２により散乱されて、光が照射された領域６が光の幕のように面状に光る。
【００２７】
本実施形態では、照明器具２５の筐体２６に粒子群発生装置３の本体１３の機能が組込まれるので、天井１２に占める面積が少なくて済み、インテリア性が高く、しかも設置工事が簡略化できる。
【図面の簡単な説明】
【００２８】
【図１】本発明の第１の実施形態に係る照明システムが設置された部屋の斜視図。
【図２】同照明システムの概略構成図。
【図３】本発明の第２の実施形態に係る照明システムにおける粒子群発生装置の本体の機能が組込まれた照明器具の斜視図。
【符号の説明】
【００２９】
１  照明システム
２  粒子群
３  粒子群発生装置
４  光
５  照明器具
１８  規制板
【図１】
2010103001.tif 000003
【図２】
2010103001.tif 000004
【図３】
2010103001.tif 000005